(57)【特許請求の範囲】
【請求項１】
プレス装置によってプレス加工されたブランク材を集積してから搬出する集積搬送装置であって、
プレス加工されたブランク材を搬送するベルトコンベアと、
前記ベルトコンベアから搬送されたブランク材を、降下しながら集積し、集積後搬出するための搬出手段を備えた上下移動可能な集積搬送部と、
前記集積搬送部がブランク材を集積するために降下した後、該ブランク材を前記搬出手段によって次工程に搬出しながら、前記ベルトコンベアから搬送されてきたブランク材を集積できる位置に上昇してくるまでの間、前記ベルトコンベアから搬送されてくるブランク材を集積させるための仮受部とを備えており、
前記集積搬送部が、複数の回転ロールを前記ベルトコンベアの搬送方向と直交するように設けたものであり、
前記仮受部が、前記ベルトコンベアの搬送方向に沿って動く複数の円柱状の棒状部材を備えたものであり、
それらの棒状部材が、前記回転ロールよりも小径のものであり、かつ、隣り合う回転ロール同士の中間に位置するように配置されていることを特徴とする集積搬送装置。
【請求項２】
前記搬送されたブランク材を整頓して集積させるためのエンドストッパを備えていることを特徴とする請求項１に記載の集積搬送装置。
【発明の詳細な説明】
【技術分野】
【０００１】
本発明は、プレス装置等によってプレス加工された後、ベルトコンベア等によって搬入されたブランク材（打ち抜き加工品）等を集積しながら次工程に搬出することができる集積搬送装置に関する。さらに言えば、ブランク材等の搬入集積作業と次工程への搬出作業を同時進行的に行うことにより、ベルトコンベア等からのブランク材等の搬入速度を遅くしたり、搬入自体を止めたりすることなく連続的にブランク材等を搬送することができる集積搬送装置に関する。
【背景技術】
【０００２】
ブランク材（打ち抜き加工品）は、プレス装置等によってプレス加工された後、その薄型形状から考えても、一旦集積（ある程度枚数を重ねた状態）させてから次工程に搬出することが好ましいと考えられる。しかしながら、集積させた状態で、次工程に搬出しようとすれば、その間、ベルトコンベア等からのブランク材の搬入を一時的に止める必要があった。すなわち、生産ラインを止める必要があったため生産性を考慮したため採用されていなかった。かかる事情により、ブランク材を集積させずに１枚ずつ搬入し、搬出していたため、後工程でブランク材を集積するための作業が必要であることから余分な工数が掛かり好ましくなかった。以上のことより、プレス装置等からのブランク材の搬入の流れを止めることなく、集積された状態で次工程に搬出することができる技術が望まれていた。
【０００３】
特許文献１には、本発明のようにブランク材等を搬送対象とした発明では無いが、「複数の物品を集積状態で保持して搬送する集積搬送装置（特許文献１：要約から抜粋）。」に関する発明として、循環経路を並走する複数の無端搬送部材（ベルトコンベア）を、グループ分けして、グループ毎に独立させて駆動できるようにモータ、シャフト、プーリ、タイミングベルト等を設置することにより駆動手段を分割することで、搬送系統を複数にして、互い違いに物品を搬送することで物品を連続的に搬送できるようにした技術が開示されている。
【先行技術文献】
【特許文献】
【０００４】
【特許文献１】特開２００８−１３３１７号公報
【発明の概要】
【発明が解決しようとする課題】
【０００５】
確かに、特許文献１に係る発明のような構成であれば搬入集積作業と次工程への搬出作業を同時に行うことができるので、ブランク材の搬入速度を遅くしたり、搬入自体を止めたりすることなく連続的にブランク材を搬入することができる。このためプレス装置等からのブランク材の搬入の流れを止めることなく、集積されたブランク材を次工程に搬出することができる。
【０００６】
しかしながら、特許文献１に係る発明は、「それぞれ所定の循環経路を並走する複数の無端搬送部材を有し、これら搬送部材が複数で１組となるように複数組にグループ分けされていると共に各組ごとに駆動手段を有しており（特許文献１からの抜粋）」、このため集積搬送装置の駆動手段を実現するための構造が複雑で、しかも、設置スペースを広くとる必要があり、限られたスペース内に集積搬送装置を設置する必要がある場合、すなわち、コンパクト化が望まれるような場合においては都合が悪かった。
【０００７】
本発明の目的は、ブランク材等の搬入集積作業と次工程への搬出作業を同時進行的に行うことにより、ベルトコンベア等からのブランク材等の搬入速度を遅くしたり、搬入自体を止めたりすることなく連続的にブランク材等を搬送することができる集積搬送装置を提供することにある。
【課題を解決するための手段】
【０００８】
上記課題を解決するために、請求項１に記載された発明は、プレス装置によってプレス加工されたブランク材を集積してから搬出する集積搬送装置であって、プレス加工されたブランク材を搬送するベルトコンベアと、前記ベルトコンベアから搬送されたブランク材を、降下しながら集積し、集積後搬出するための搬出手段を備えた上下移動可能な集積搬送部と、前記集積搬送部がブランク材を集積するために降下した後、該ブランク材を前記搬出手段によって次工程に搬出しながら、前記ベルトコンベアから搬送されてきたブランク材を集積できる位置に上昇してくるまでの間、前記ベルトコンベアから搬送されてくるブランク材を集積させるための仮受部とを備えており、前記集積搬送部が、複数の回転ロールを前記ベルトコンベアの搬送方向と直交するように設けたものであり、前記仮受部が、前記ベルトコンベアの搬送方向に沿って動く複数の円柱状の棒状部材を備えたものであり、それらの棒状部材が、前記回転ロールよりも小径のものであり、かつ、隣り合う回転ロール同士の中間に位置するように配置されていることを特徴とするものである。
【００１０】
請求項２に記載された発明は、請求項１に記載された発明において、さらに、エンドストッパを備えている集積搬送装置であることを特徴とするものである。
【発明の効果】
【００１１】
請求項１に記載の集積搬送装置は、ベルトコンベアから搬送されてきたブランク材を、降下しながら集積し、集積後搬送するための搬出手段を備えた上下移動可能な集積搬送部と、集積搬送部がブランク材を集積するために降下してから、搬出手段によって搬出しながらベルトコンベアから搬送されてきたブランク材を集積可能な位置に上昇してくるまでの間、ベルトコンベアから搬送されてくるブランク材を仮受けするための仮受部とを備えているため、集積搬送部に集積したブランク材を次工程に搬出している間、ベルトコンベアから搬送されてくるブランク材を、一時的に仮受部に集積させておくことでブランク材の集積作業と次工程への搬出作業を同時に行うことができる。
【００１２】
また、請求項１に記載の集積搬送装置の仮受部は、ブランク材を載せておくことができる程度の間隔を設けて、シリンダー装置の動きに連動して動く複数の棒状部材を備えているため、集積搬送部に集積したブランク材を次工程に搬出している間、ベルトコンベアから搬送されてくるブランク材を、一時的に仮受部に集積させておくことができる。
【００１３】
請求項２に記載の集積搬送装置は、ベルトコンベアから１枚ずつ搬送されてきたブランク材を受け止めるためのエンドストッパを備えているので、ベルトコンベアから搬送されたブランク材を整頓された状態で、集積搬送部、或いは仮受部に集積させることができる。さらに、プレスの不具合等により形状が著しく異なっているブランク材を識別することができる（いわゆるポカ除け）。
【図面の簡単な説明】
【００１４】
【図１】集積搬送装置（全体）の斜視図である（拡大図は、集積搬送部、および仮受部である）。
【図２】集積搬送装置（全体）を示す説明図である（ａは平面図であり、ｂは正面図である）。
【図３】集積搬送装置（一部）を示す説明図である（ａは平面図であり、ｂは正面図である）。
【図４】集積搬送装置（一部）を示す説明図である（ａは平面図であり、ｂは正面図である）。
【図５】仮受部（全体）の斜視図である（拡大図は、複数の棒状部材である）。
【図６】ブランク材の搬送方法を示す説明図である（ａは正面図であり、ｂは平面図である）。
【図７】ブランク材の搬送方法を示す説明図である（ａは正面図であり、ｂは平面図である）。
【図８】ブランク材の搬送方法を示す説明図である（ａは正面図であり、ｂは平面図である）。
【図９】ブランク材の搬送方法を示す説明図である（ａは正面図であり、ｂは平面図である）。
【図１０】ブランク材の搬送方法を示す説明図である（ａは正面図であり、ｂは平面図である）。
【図１１】ブランク材の搬送方法を示す説明図である（ａは正面図であり、ｂは平面図である）。
【図１２】衝撃吸収部材を設置した状態の仮受部（全体）を示す斜視図である。
【発明を実施するための形態】
【００１５】
＜集積搬送装置の構造＞
以下、本発明に係る集積搬送装置１の一実施形態について、図１〜図１２に基づいて詳細に説明する。図１は本発明に係る集積搬送装置１の全体斜視図である。図２は、集積搬送装置（全体）の平面図（ａ）、および全体の正面図（ｂ）であり、図３は、集積搬送装置（一部）の平面図（ａ）、および正面図（ｂ）であり、図４は、集積搬送装置（一部）の平面図（ａ）、および側面図（ｂ）である。なお、本明細書において集積搬送装置１とは、搬入品を集積して纏めてから次工程に搬出する装置のことを言う。すなわち、ブランク材Ｂ（打ち抜き加工品）等が、外部に設置されたプレス装置等によって一枚ずつプレス加工された後、ベルトコンベア２によって、そのまま一枚ずつ搬入されるのであるが、これらのブランク材Ｂを集積しながら搬入し、ある程度纏まった時点で次工程に搬出する装置のことを言う。
【００１６】
図１〜図４に記載したように、本発明に係る集積搬送装置１におけるブランク材Ｂを搬送するための基本的な構造としては、外部に設置されたプレス装置等によって打ち抜きプレス加工されたブランク材Ｂを搬送するベルトコンベア２と、ベルトコンベア２から搬送されてきたブランク材Ｂを、１枚ずつ搬入しながら、徐々に降下することにより（ブランク材Ｂを）集積させ、ブランク材Ｂが予め設定された高さになるまで集積されたタイミングで次工程に搬出するための搬出手段としての複数の回転ローラ９（図１拡大図参照）を備えた上下移動可能な集積搬送部４と、集積搬送部４がブランク材Ｂを集積するために（ブランク材Ｂが予め設定された高さになるまで）降下した後、ブランク材Ｂを搬出手段としての複数の回転ローラ９（図１拡大図参照）によって次工程に搬出しながら、ベルトコンベア２から搬送されてきたブランク材Ｂを集積できる位置まで上昇して来るまでの間、すなわち、集積搬送部４が、ベルトコンベア２から搬送されるブランク材Ｂを、搬入できない状態の間、ベルトコンベア２から搬送されてくるブランク材Ｂを一時的に搬入するための仮受部５を備えている。
【００１７】
本発明に係る集積搬送装置の仮受部５は、集積搬送部４に集積したブランク材Ｂを次工程に移動させている間、ベルトコンベア２から搬送されてくるブランク材Ｂを仮受部５に集積させておくことができるように、集積搬送部４を介してベルトコンベア２端部と対峙する位置に設置されている。
【００１８】
図５は、仮受部５の全体斜視図（拡大図は複数の棒状部材６）である。図５に記載したように、本発明に係る集積搬送装置１の仮受部５は、ブランク材Ｂを一時的に載置するための複数の棒状部材６（φ２０ｍｍ）を備えている。複数の棒状部材６は、ブランク材Ｂの搬入方向と平行な方向に向かって突き出せるように設置されており、さらに、ブランク材Ｂを載せておくことができる程度の間隔を設けて設置されている（図５では、１０本の棒状部材６が設置されている）。そして、棒状部材６の一端が固定され、さらにシリンダー装置７と接続されている。このような構成により複数の棒状部材６は、仮受部５に設置されたシリンダー装置７の出し入れの動きに連動してブランク材Ｂの搬入方向と平行な方向に向かって、集積搬送部４がブランク材Ｂを集積するために降下した際、集積搬送部４のちょうど真上の位置に突き出したり、元の位置に戻ったりするように動かすことができるようになっている。
【００１９】
エンドストッパ８は、ベルトコンベア２から１枚ずつ搬送されてくるブランク材Ｂの個々の集積される位置が、できるだけバラバラにならないようにするために設置された部材（プレスの不具合等により形状が著しく異なっているブランク材Ｂを識別することができる、いわゆるポカ除けとしての機能も有している）である。エンドストッパ８は、図２（ａ）に記載したように、集積搬送部４の一端付近（ベルトコンベア２から離れた側）に集積搬送部４と分離して集積搬送装置１に設置された部材である。エンドストッパ８のブランク材Ｂと隣接する部分の形状は、搬送されてくるブランク材Ｂの先端付近の形状と略凹凸の関係になるような形状にすると、搬送されたブランク材Ｂを整頓された状態で集積させることができる。
【００２０】
エンドストッパ８は、搬送されて来るブランク材Ｂの形状に合わせて、エンドストッパ８のブランク材Ｂと隣接する部分の位置や角度を変えたりすることで調整し、またはエンドストッパ８自体をブランク材Ｂに合わせた異なる形状のものに交換することができる。
【００２１】
＜集積搬送装置におけるブランク材の搬送方法＞
図６〜図１２は、本発明に係る集積搬送装置１におけるブランク材Ｂの搬送方法を（時系列に沿って）説明するための正面図、および平面図である。
【００２２】
本発明に係る集積搬送装置１の特徴は、集積搬送部４に集積したブランク材Ｂを次工程に移動させている間、すなわち、集積搬送部４が、ベルトコンベア２から搬送されるブランク材Ｂを、搬入できない状態の間、ベルトコンベア２から搬送されてくるブランク材Ｂを仮受部５に集積させておくことでブランク材Ｂの集積作業と次工程への搬送作業を同時進行的に行うことができることにある。
【００２３】
図６（ａ）および図７（ａ）に記載したように本発明に係る集積搬送装置１は、ベルトコンベア２から搬送されたブランク材Ｂを、集積搬送部４に搬入しつつ、徐々に降下させながら（ブランク材Ｂ）を集積し始める（図７（ａ）に記載したようにブランク材Ｂを一枚ずつ集積させていく）。そして、集積搬送部４に集積されたブランク材Ｂの高さが、予め設定しておいた一定の高さ（例えば４５０ｍｍ）になるまで、集積搬送部４は、ブランク材Ｂを集積しつつ降下し続けることになる。
【００２４】
図８（ａ），（ｂ）（実線）に記載したように、集積搬送部４に集積されたブランク材Ｂの高さが、予め設定しておいた一定の高さ（例えば４５０ｍｍ）になった時点で（集積搬送部４がブランク材Ｂを集積するために、予め設定しておいた一定の位置まで降下した時点）、仮受部５からシリンダー装置７の動きに連動して複数の棒状部材６が、集積搬送部４のちょうど真上の位置に突き出るようになっている。一方、搬出手段３としての複数の回転ローラ９を回転させることにより集積搬送部４に集積されたブランク材Ｂを次工程に搬出することになる。従って、ベルトコンベア２を停止すること無く、連続してベルトコンベア２から搬送されたブランク材Ｂを集積搬送装置１に搬入することができる状態になる。
【００２５】
図９（ｂ）および図１０（ｂ）に記載したように、仮受部５から、一端が固定されていてシリンダー装置７と連動して動く複数の棒状部材６が、シリンダー装置７によって押し出されたことにより、集積搬送部４のちょうど真上の位置に突き出て、ベルトコンベア２から搬送されたブランク材Ｂを一時的に搬入している間、集積搬送部４は、集積されたブランク材Ｂを搬出手段３としての複数の回転ローラ９により次工程に搬出し（図９（ａ），（ｂ）参照）、その後上昇する（図１０（ａ）参照）。
【００２６】
そして、図１１（ａ），（ｂ）に記載したように、集積搬送部４が上昇してブランク材Ｂを搬入することが可能な位置まで戻ると、仮受部５から突出していた複数の棒状部材６は引っ込んで元の位置に戻る。これらの動作を繰り返すことにより、すなわち、集積搬送部４に集積したブランク材Ｂを次工程に移動させている間、ベルトコンベア２から搬送されてくるブランク材Ｂを仮受部５に集積させておくことでブランク材Ｂの集積作業と次工程への搬送作業を同時に行うことができる。
【００２７】
＜集積搬送装置の効果＞
本発明に係る集積搬送装置１は、ベルトコンベア２から搬送されてきたブランク材Ｂを、降下しながら集積し、集積後搬送するための搬出手段３としての複数の回転ローラ９を備えた上下移動可能な集積搬送部４と、集積搬送部４がブランク材Ｂを集積するために降下してから、搬出手段３としての複数の回転ローラ９によって搬出しながらベルトコンベア２から搬送されてきたブランク材Ｂを集積可能な位置に上昇してくるまでの間、ベルトコンベア２から搬送されてくるブランク材Ｂを一時的に搬入するための仮受部５を備えている。このような構成であれば、集積搬送部４が集積したブランク材Ｂを次工程に搬出している間、ベルトコンベア２から搬送されてくるブランク材Ｂを一時的に仮受部５に集積させておくことでブランク材Ｂの集積作業と次工程への搬出作業を同時に行うことができる。
【００２８】
そして、集積搬送部４は、ベルトコンベア２から１枚ずつ搬入されてきたブランク材Ｂを止めるためのエンドストッパ８を備えているので、ベルトコンベア２から搬送されたブランク材Ｂがこの位置で纏めることができる。さらに、プレスの不具合等により形状が著しく異なっているブランク材Ｂを識別することができる（いわゆるポカ除け）。
【００２９】
＜集積搬送装置の変更例＞
本発明に係る集積搬送装置１の構成は、上記した各実施形態の態様に何ら限定されるものではなく、ベルトコンベア２、搬出手段３、集積搬送部４、仮受部５、棒状部材６、シリンダー装置７、エンドストッパ８、回転ローラ９等の構成を、本発明の趣旨を逸脱しない範囲で、必要に応じて適宜変更することができる。例えば、仮受部５は、できるだけ短時間でベルトコンベア２から搬送されてくるブランク材Ｂを一時的に搬入できる状態にするために、集積搬送部４を介してベルトコンベア２端部と対峙する位置のみに設置するのではなく、さらに、ベルトコンベア２の終端下部にも仮受部５を設置することができる。
【００３０】
そして、仮受部５は、図１２に記載したような位置に、シリコンゴム等の弾性を有する材料、又は巻バネ等の弾性部材による衝撃吸収部材を設置することで、一端が固定され、さらにシリンダー装置７と接続されている複数の棒状部材６が、ベルトコンベア２から搬送されてくるブランク材Ｂを、一時的に仮受部５に集積させておくために、シリンダー装置７の出し入れの動きに連動して、ブランク材Ｂの搬入方向と平行な方向に対して出入りするように動く際に生じ得る衝撃を吸収することができるようにすることもできる。
【００３１】
すなわち、集積搬送部４を介してベルトコンベア２端部と対峙する位置に仮受部５（棒状部材６）が設置された場合においては、仮受部５の棒状部材６がベルトコンベア２の終端下部に衝突しないように制御することができるようになっている。
【００３２】
集積搬送部４を介してベルトコンベア２端部と対峙する位置のみに設置するのではなく、さらに、ベルトコンベア２の終端下部にも仮受部５を設置された場合においては、ベルトコンベア２端部と対峙する位置に設置した仮受部５の棒状部材６と、ベルトコンベア２の終端下部に設置した仮受部５の棒状部材６同士が衝突しないように制御することができるようになっている。
【００３３】
すなわち、本発明における集積搬送装置１の仮受部５は、図１２に記載したような位置に、衝撃吸収部材が設置されているので、一端が固定され、さらにシリンダー装置７と接続されている複数の棒状部材６が、ベルトコンベア２から搬送されてくるブランク材Ｂを、一時的に仮受部５に集積させておくために、シリンダー装置７の出し入れの動きに追従するようにして、ブランク材Ｂの搬入方向と平行な方向に対して動く際の衝撃を吸収することができる。
【産業上の利用可能性】
【００３４】
本発明に係る集積搬送装置は、上記の如く優れた効果を奏するものであるので、プレス装置等によってプレス加工された後、ベルトコンベア等によって搬入されたブランク材（打ち抜き加工品）等を集積しながら次工程に搬出することができる集積搬送装置として好適に用いることができる。
【符号の説明】
【００３５】
１・・集積搬送装置
２・・ベルトコンベア
３・・搬出手段
４・・集積搬送部
５・・仮受部
６・・棒状部材
７・・シリンダー装置
８・・エンドストッパ
９・・回転ローラ
Ｂ・・ブランク材
【要約】
【課題】ベルトコンベアの搬送速度を遅くしたり、ベルトコンベア自体の動作を止めたりすることなくスムーズにブランク材等を搬送することができる集積搬送装置を提供する。
【解決手段】プレス加工されたブランク材を搬送するベルトコンベア２と、ベルトコンベア２から搬送されたブランク材を、降下しながら集積し、集積後搬出するための搬出手段３を備えた上下移動可能な集積搬送部４と、集積搬送部４がブランク材を集積するために降下した後、該ブランク材を搬出手段３によって次工程に搬出しながら、ベルトコンベア２から搬送されてきたブランク材を集積できる位置に上昇してくるまでの間、ベルトコンベア２から搬送されてくるブランク材を搬入するための仮受部５を備えた集積搬送装置１とした。
【選択図】図１【図１】
0005996043.tif 000002
【図２】
0005996043.tif 000003
【図３】
0005996043.tif 000004
【図４】
0005996043.tif 000005
【図５】
0005996043.tif 000006
【図６】
0005996043.tif 000007
【図７】
0005996043.tif 000008
【図８】
0005996043.tif 000009
【図９】
0005996043.tif 000010
【図１０】
0005996043.tif 000011
【図１１】
0005996043.tif 000012
【図１２】
0005996043.tif 000013